(57)【要約】照明付天井埋込換気扇において、照明部からの光を室内に導くように反射する反射面を有する照明用カバーと照明部の周囲との間における空気の通過を制限する制限部材が備えられ、照明用カバーの下端部と室内側開口部の縁部との間に吸気用隙間が形成された構成を採用する。これにより、吸気用隙間を通して本体筐体内に導入された空気を送風機によりダクト内へ排気するとともに、送風機などにて発生した音の指向性が照明用カバー内にて増強されて室内側へ伝達されることが制限部材により抑制でき、室内に伝達される騒音を抑制できる。
2013508940.tif 000002
【特許請求の範囲】
【請求項１】
本体筐体と、本体筐体内に配置された送風機および照明器具とを有する照明付天井埋込換気扇であって、
本体筐体は、送風機の吹出口に接続されるとともにダクトに連通する第１開口部と、室内に連通するように本体筐体の下部に形成された第２開口部とを有し、
照明器具は、照明部と、照明部の周囲を囲むように本体筐体内に配置されて、照明部からの光を、第２開口部を通して室内に導くように反射する反射面を有する照明用カバーと、照明部の周囲と照明用カバーとの間における空気の通過を制限する制限部材とを備え、
照明用カバーの下端部と第２開口部の縁部との間に吸気用隙間が形成され、第２開口部および吸気用隙間を通して本体筐体内に導入された空気が、送風機により第１開口部を通してダクト内へ排気される、照明付天井埋込換気扇。
【請求項２】
照明器具は、本体筐体の第２開口部に対する照明用カバーの高さ位置を調整する調整機構を有し、調整機構により照明用カバーの高さ位置を調整することで、吸気用隙間の大きさを調整する、請求項１に記載の照明付天井埋込換気扇。
【請求項３】
照明用カバーは照明部の側部周囲全体を覆うように筒状に形成されるとともに照明用カバーの下端部は上端部よりも大きく形成され、照明用カバーの上端部および下端部の少なくともいずれか一方が実質的に封止されるように制限部材が配置されている、請求項１に記載の照明付天井埋込換気扇。
【請求項４】
照明用カバーは上端部の開口よりも下端部の開口が大きくなるような大略円錐台形状もしくは多角錐台形状の筒状に形成され、下端部の開口を実質的に封止する蓋部材が制限部材として配置されている、請求項３に記載の照明付天井埋込換気扇。
【請求項５】
照明用カバーの下端部に対して、蓋部材が着脱自在に設けられている、請求項４に記載の照明付天井埋込換気扇。
【請求項６】
照明用カバーの下端部の周囲に突出する鍔部が形成されている、請求項１から５のいずれか１つに記載の照明付天井埋込換気扇。
【請求項７】
本体筐体内面において、少なくとも送風機の吸込口と対向する位置に吸音材が配置されている、請求項１から５のいずれか１つに記載の照明付天井埋込換気扇。
【請求項８】
本体筐体は、第２開口部から離間された位置に形成されて、室内と連通する第３開口部をさらに有し、第２開口部および吸気用隙間を通して本体筐体内に導入された空気とともに、第３開口部を通して本体筐体内に導入された空気が、送風機により第１開口部を通してダクト内へ排気される、請求項１から５のいずれか１つに記載の照明付天井埋込換気扇。
【請求項９】
本体筐体と、本体筐体内に配置された送風機および照明器具とを有する照明付天井埋込換気扇であって、
本体筐体は、送風機の吹出口に接続されるとともにダクトに連通する第１開口部と、本体筐体の下部に形成された第２開口部とを有し、
天井開口部に設けられた開口部材により構成される室内側吸込口と、本体筐体の第２開口部とが連通されるように、本体筐体が天井内に設置され、
照明器具は、照明部と、照明部の周囲を囲むように本体筐体内に配置されて、照明部からの光を、第２開口部および開口部材を通して室内に導くように反射する反射面を有する照明用カバーと、照明部の周囲と照明用カバーとの間における空気の通過を制限する制限部材とを備え、
照明用カバーの下端部と開口部材の縁部との間に吸気用隙間が形成され、開口部材および吸気用隙間を通して本体筐体内に導入された空気が、送風機により第１開口部を通してダクト内へ排気される、照明付天井埋込換気扇。
【請求項１０】
照明器具は、天井開口部に対する照明用カバーの高さ位置を調整する調整機構を有し、調整機構により照明用カバーの高さ位置を調整することで、吸気用隙間の大きさを調整する、請求項９に記載の照明付天井埋込換気扇。
【請求項１１】
本体筐体と、本体筐体内に配置された送風機および照明器具とを有する照明付天井埋込換気扇であって、
本体筐体は、送風機の吹出口に接続されるとともにダクトに連通する第１開口部と、室内に連通するように本体筐体の下部に形成された第２開口部とを有し、
照明器具は、照明部と、照明部の周囲を囲むように本体筐体内に配置されて、照明部からの光を、第２開口部を通して室内に導くように反射する反射面を有する照明用カバーと、照明部の周囲と照明用カバーとの間における空気の通過を制限する制限部材とを備え、
照明用カバーの下端部が第２開口部より室内に向けて突出するように、照明用カバーが第２開口部を貫通して配置され、
照明用カバーの下端部と第２開口部の縁部との間に吸気用隙間が形成され、吸気用隙間および第２開口部を通して本体筐体内に導入された空気が、送風機により第１開口部を通してダクト内へ排気される、照明付天井埋込換気扇。
【請求項１２】
照明器具は、本体筐体の第２開口部に対する照明用カバーの高さ位置を調整する調整機構を有し、調整機構により照明用カバーの高さ位置を調整することで、吸気用隙間の大きさを調整する、請求項１１に記載の照明付天井埋込換気扇。
【発明の詳細な説明】
【技術分野】
【０００１】
本発明は、一種換気扇に関するものであり、特に、一種照明付天井埋込換気扇の騒音削減構造に関する。
【背景技術】
【０００２】
従来、この種の照明付天井埋込換気構造としては、例えば、ダウンライトを用いた構造が知られている。従来の照明付天井埋込換気構造の例を図７に示す（例えば、特許文献１参照）。
【０００３】
図７に示すように、従来の照明付天井埋込換気構造１０８は、天井１０１に窪み部（凹部）１０２を設け、防湿カバー１０４で囲われた電球１０５をこの窪み部１０２内にゴムパッキン１０３を介して配置するとともに、窪み部１０２の周壁の一部に換気口１０６を形成して、この換気口１０６にダクト１０７を接続した構造を有している。
【０００４】
このような照明付天井埋込換気構造１０８では、ダウンライトとしての機能を実現しながら、室内換気の機能を実現できる。
【先行技術文献】
【特許文献】
【０００５】
【特許文献１】実開昭５７−６８４２６号公報
【発明の概要】
【発明が解決しようとする課題】
【０００６】
従来の照明付天井埋込換気構造１０８では、窪み部１０２を円錐台形筒状に形成して窪み部１０２の内壁面を反射面とし、電球１０５からの光を窪み部１０２の内壁面にて下方、すなわち室内側に向けて反射するような構成が採用されている。このような構成が採用されていることにより照明付天井埋込換気構造１０８においてダウンライトとしての機能を高めることができる。
【０００７】
しかしながら、窪み部１０２が円錐台形筒状に形成されていることにより、この形状がいわゆるメガホン（megaphone）となり、照明付天井埋込換気構造１０８にて発生する送風音や送風機などの運転音の指向性が増強されて室内に伝達する、あるいはこのような音をより遠くへ伝えてしまうという課題がある。
【０００８】
従って、本発明の目的は、上記問題を解決することにあって、室内に伝達される騒音を抑制することができる照明付天井埋込換気扇を提供することにある。
【課題を解決するための手段】
【０００９】
上記目的を達成するために、本発明は以下のように構成する。
【００１０】
本発明の第１態様によれば、本体筐体と、本体筐体内に配置された送風機および照明器具とを有する照明付天井埋込換気扇であって、
本体筐体は、送風機の吹出口に接続されるとともにダクトに連通する第１開口部と、室内に連通するように本体筐体の下部に形成された第２開口部とを有し、
照明器具は、照明部と、照明部の周囲を囲むように本体筐体内に配置されて、照明部からの光を、第２開口部を通して室内に導くように反射する反射面を有する照明用カバーと、照明部の周囲と照明用カバーとの間における空気の通過を制限する制限部材とを備え、
照明用カバーの下端部と第２開口部の縁部との間に吸気用隙間が形成され、第２開口部および吸気用隙間を通して本体筐体内に導入された空気が、送風機により第１開口部を通してダクト内へ排気される、照明付天井埋込換気扇を提供する。
【００１１】
本発明の第２態様によれば、照明器具は、本体筐体の第２開口部に対する照明用カバーの高さ位置を調整する調整機構を有し、調整機構により照明用カバーの高さ位置を調整することで、吸気用隙間の大きさを調整する、第１態様に記載の照明付天井埋込換気扇を提供する。
【００１２】
本発明の第３態様によれば、照明用カバーは照明部の側部周囲全体を覆うように筒状に形成されるとともに照明用カバーの下端部は上端部よりも大きく形成され、照明用カバーの上端部および下端部の少なくともいずれか一方が実質的に封止されるように制限部材が配置されている、第１態様に記載の照明付天井埋込換気扇を提供する。
【００１３】
本発明の第４態様によれば、照明用カバーは上端部の開口よりも下端部の開口が大きくなるような大略円錐台形状もしくは多角錐台形状の筒状に形成され、下端部の開口を実質的に封止する蓋部材が制限部材として配置されている、第３態様に記載の照明付天井埋込換気扇を提供する。
【００１４】
本発明の第５態様によれば、照明用カバーの下端部に対して、蓋部材が着脱自在に設けられている、第４態様に記載の照明付天井埋込換気扇を提供する。
【００１５】
本発明の第６態様によれば、照明用カバーの下端部の周囲に突出する鍔部が形成されている、第１態様から第５態様のいずれか１つに記載の照明付天井埋込換気扇を提供する。
【００１６】
本発明の第７態様によれば、本体筐体内面において、少なくとも送風機の吸込口と対向する位置に吸音材が配置されている、第１態様から第５態様のいずれか１つに記載の照明付天井埋込換気扇を提供する。
【００１７】
本発明の第８態様によれば、本体筐体は、第２開口部から離間された位置に形成されて、室内と連通する第３開口部をさらに有し、第２開口部および吸気用隙間を通して本体筐体内に導入された空気とともに、第３開口部を通して本体筐体内に導入された空気が、送風機により第１開口部を通してダクト内へ排気される、第１態様から第５態様のいずれか１つに記載の照明付天井埋込換気扇を提供する。
【００１８】
本発明の第９態様によれば、本体筐体と、本体筐体内に配置された送風機および照明器具とを有する照明付天井埋込換気扇であって、
本体筐体は、送風機の吹出口に接続されるとともにダクトに連通する第１開口部と、本体筐体の下部に形成された第２開口部とを有し、
天井開口部に設けられた開口部材により構成される室内側吸込口と、本体筐体の第２開口部とが連通されるように、本体筐体が天井内に設置され、
照明器具は、照明部と、照明部の周囲を囲むように本体筐体内に配置されて、照明部からの光を、第２開口部および開口部材を通して室内に導くように反射する反射面を有する照明用カバーと、照明部の周囲と照明用カバーとの間における空気の通過を制限する制限部材とを備え、
照明用カバーの下端部と開口部材の縁部との間に吸気用隙間が形成され、開口部材および吸気用隙間を通して本体筐体内に導入された空気が、送風機により第１開口部を通してダクト内へ排気される、照明付天井埋込換気扇を提供する。
【００１９】
本発明の第１０態様によれば、照明器具は、天井開口部に対する照明用カバーの高さ位置を調整する調整機構を有し、調整機構により照明用カバーの高さ位置を調整することで、吸気用隙間の大きさを調整する、第９態様に記載の照明付天井埋込換気扇を提供する。
【００２０】
本発明の第１１態様によれば、本体筐体と、本体筐体内に配置された送風機および照明器具とを有する照明付天井埋込換気扇であって、
本体筐体は、送風機の吹出口に接続されるとともにダクトに連通する第１開口部と、室内に連通するように本体筐体の下部に形成された第２開口部とを有し、
照明器具は、照明部と、照明部の周囲を囲むように本体筐体内に配置されて、照明部からの光を、第２開口部を通して室内に導くように反射する反射面を有する照明用カバーと、照明部の周囲と照明用カバーとの間における空気の通過を制限する制限部材とを備え、
照明用カバーの下端部が第２開口部より室内に向けて突出するように、照明用カバーが第２開口部を貫通して配置され、
照明用カバーの下端部と第２開口部の縁部との間に吸気用隙間が形成され、吸気用隙間および第２開口部を通して本体筐体内に導入された空気が、送風機により第１開口部を通してダクト内へ排気される、照明付天井埋込換気扇を提供する。
【００２１】
本発明の第１２態様によれば、照明器具は、本体筐体の第２開口部に対する照明用カバーの高さ位置を調整する調整機構を有し、調整機構により照明用カバーの高さ位置を調整することで、吸気用隙間の大きさを調整する、第１１態様に記載の照明付天井埋込換気扇を提供する。
【発明の効果】
【００２２】
本発明によれば、照明付天井埋込換気扇において、照明部からの光を室内に導くように反射する反射面を有する照明用カバーと照明部の周囲との間における空気の通過を制限する制限部材が備えられ、照明用カバーの下端部と室内側開口部の縁部との間に吸気用隙間が形成された構成が採用されている。したがって、吸気用隙間を通して本体筐体内に導入された空気を送風機によりダクト内へ排気するとともに、送風機の運転音などの音の指向性が照明用カバー内にて増強されて室内側へ伝達されることが制限部材により抑制できる。よって、室内に伝達される騒音を抑制できる照明付天井埋込換気扇を提供することができる。
【図面の簡単な説明】
【００２３】
【図１】本発明の実施の形態１にかかる照明付天井埋込換気扇の斜視図
【図２】実施の形態１の照明付天井埋込換気扇の断面図
【図３Ａ】照明用カバーにおける制限部材の配置例を示す模式図
【図３Ｂ】照明用カバーにおける制限部材の配置例を示す模式図
【図３Ｃ】照明用カバーにおける制限部材の配置例を示す模式図
【図４】本発明の実施の形態２の照明付天井埋込換気扇の断面図
【図５】本発明の実施の形態３の照明付天井埋込換気扇の断面図
【図６】本発明の実施の形態４の照明付天井埋込換気扇の断面図
【図７】従来の照明付天井埋込換気構造を示す断面図
【図８】本発明の実施の形態４の照明付天井埋込換気扇の斜視図
【図９】照明器具の斜視図
【図１０】照明器具の分解図
【図１１】照明器具の高さ調整の説明図
【発明を実施するための形態】
【００２４】
本発明の記述を続ける前に、添付図面において同じ部品については同じ参照符号を付している。以下に、本発明にかかる実施の形態を図面に基づいて詳細に説明する。
【００２５】
（実施の形態１）
本発明の実施の形態１にかかる照明付天井埋込換気扇１の斜視図を図１に示し、断面図（一部断面図）を図２に示す。
【００２６】
図１および図２に示すように、照明付天井埋込換気扇１は、大略箱体状の本体筐体１０と、この本体筐体１０内に配置された送風機２０および照明器具３０とを備えている。
【００２７】
本体筐体１０は、送風機２０の吹出口に接続される第１開口部１１と、天井２に形成された天井開口部３を通して室内に連通する第２開口部１２とを有している。本体筐体１０の側部に形成された第１開口部１１はダクト接続部１３に接続され、ダクト接続部１３を介してダクト１４に連通されている。なお、図１および図２では、本体筐体１０の側部に第１開口部１１が形成され、下部に第２開口部１２が形成された例について示しているが、第１開口部１１が本体筐体１０の上部に形成されるような場合であっても良い。
【００２８】
送風機２０は、ファン２１と、ファン２１を回転駆動するモータ２２と、ファン２１を囲むように配置されたファンケーシング２３とを備えており、本体筐体１０の上部内壁に固定されている。送風機２０の吸込口は本体筐体１０の内部に開口されており、吸込口を通して送風機２０内に取り込まれた本体筐体１０内の空気が、吹出口、第１開口部１１、およびダクト接続部１３を通してダクト１４内に排気される。送風機２０の形式としては、例えばシロッコファン等の遠心式送風機を例として説明するが、このような排気機能を実現できるその他の形式の送風機を採用しても良い。
【００２９】
照明器具３０は、ランプ（照明部）３１と、ランプ３１の周囲を囲む照明用カバー３２と、ランプ３１および照明用カバー３２を本体筐体１０の内壁に脱着可能に固定するランプ装着具３３とを備えている。ランプ３１および照明用カバー３２は、本体筐体１０の第２開口部１２と互いの中心位置が鉛直方向において実質的に一致するように中心軸Ｐ上に配置されている。ランプ装着具３３は、ランプ３１および照明用カバー３２を脱着可能に固定する機能の他に、ランプ３１に対して給電するための機能をも備えている。なお、ランプ３１としては、いわゆる電球の他に、蛍光灯やＬＥＤを用いても良い。また、ランプ３１に換えて電熱器を用い、カバー３２により電熱器を覆うような構成を採用しても良い。また、ランプ３１および照明用カバー３２と本体筐体１０の第２開口部１２との配置関係は、互いの中心位置が鉛直方向において実質的に一致するような場合に限られない。第２開口部１２を通してランプ３１の光が室内側に照射されるような配置関係であれば良い。
【００３０】
照明用カバー３２は、大略円錐台形状の筒状に形成されるとともに、照明用カバー３２の下端部３２ｂの径寸法が上端部３２ａの径寸法よりも大きくなるように形成されている。また、照明用カバー３２は、その内側に配置されるランプ３１の発光部分の側部周囲全体を覆うような長さ寸法（上下方向寸法）にて形成されている。照明用カバー３２とランプ３１との間には互いに接触しないような隙間が確保されている。
【００３１】
照明用カバー３２の内周面はランプ３１からの光を、第２開口部１２に向けて（すなわち下方に向けて）反射する反射面３２ｃとなっている。照明用カバー３２がこのような反射面３２ｃを有していることにより、ランプ３１からの光が直接光および反射光となって室内を効率的に照らすことができる。
【００３２】
照明器具３０は、照明用カバー３２の下端部３２ｂにおける開口を封止する蓋（蓋部材）３４を備えている。蓋３４は、ランプ３１の接触しないように照明用カバー３２の下端部３２ｂに脱着可能に取り付けられており、ランプ３１を交換する際などに照明用カバー３２から蓋３４が取り外される。
【００３３】
天井開口部３には環状の部材であるフランジ３５（開口部材）が取り付けられている。このフランジ３５は、化粧用部材としての役目を担っており、フランジ３５により天井開口部３の下部周縁および内周面が覆われて室内から天井開口部３が直接見えないようにされている。また、このフランジ３５は、その一端が本体筐体１０に係合され、他端がフランジ３５に係合された付勢部材（例えばワイヤー状のバネ）３６を介して天井開口部３の下部周縁を上方に向けて付勢した状態で取り付けられている。フランジ３５を天井開口部３から離脱させる際には、この付勢部材３６によりフランジ３５が落下することが防止される。なお、図１は、天井開口部３よりフランジ３５が離脱された状態を示している。
【００３４】
図２に示すように、照明用カバー３２の下端部３２ｂと本体筐体１０の第２開口部１２の縁部、より詳細にはフランジ３５の内縁部との間には環状の吸気用隙間Ｓが設けられている。フランジ３５が配置された天井開口部３より導入された室内空気は、この環状の吸気用隙間Ｓをおよび第２開口部１２を通して本体筐体１０内に導入されように、室内空気の導入路が形成されている。
【００３５】
また、照明用カバー３２の下端部３２ｂには、周囲に向けて突出するように形成された環状の鍔部３７が形成されている。
【００３６】
このような構成の照明付天井埋込換気扇１では、ランプ３１を点灯させると、ランプ３１からの光が蓋３４および天井開口部３（フランジ３５の開口部）を通して室内へ導入されるとともに、ランプ３１の側部周面からの光が、照明用カバー３２の反射面３２ｃにて下方へ向けて反射され、この反射光が蓋３４および天井開口部３を通して室内へ導入される。これにより、照明付天井埋込換気扇１がダウンライトとして機能する。
【００３７】
送風機２０のモータ２２によりファン２１を回転駆動させると、天井開口部３および環状の吸気用隙間Ｓを通して室内空気が本体筐体１０内に導入される。吸気用隙間Ｓでは、照明用カバー３２の下端部３２ｂに環状の鍔部３７が形成されていることにより、照明用カバーの下端部３２ｂにて発生する風切り音などが低減される。本体筐体１０内に導入された空気は、ファンケーシング２３内に取り込まれて、送風機２０から第１開口部１１およびダクト接続部１３を通してダクト１４へと排気される。これにより、照明用天井埋込換気扇１が換気扇として機能する。
【００３８】
ここで、ランプ３１を囲むように配置された照明用カバー３２は、その筒状の下端部３２ｂが蓋３４により封止されている。これにより、ランプ３１と照明用カバー３２との間は空気の通過が制限された状態となっている。そのため、大略円錐台形筒状の照明用カバー３２がメガホンとなることにより本体筐体１０内に配置された送風機２０の駆動による送風音やモータ２２の運転音の指向性が増強されて室内側に伝播されることが抑制される。特に、照明用カバー３２は、ランプ３１からの光の反射面３２ｃを有する必要があるため、その形状として大略円錐台形筒状に形成されることが多い。このような形状では、照明用カバー３２がいわゆるメガホンとなる可能性が高い。このように照明用カバー３２において、空気の通過を制限する蓋３４を設けることにより、本体筐体１０内にて発生する音がその指向性が増強された状態にて室内側に伝わることを効果的に抑制できる。
【００３９】
上述の説明では、照明用カバー３２の下端部３２ｂを封止する蓋３４を設けるような場合を例として説明したが、このような場合についてのみ限定されるものではない。照明用カバー３２とランプ３１との間において空気の通過を制限できるような部材（制限部材）を設けることにより、蓋３４を設ける場合と同様な効果を得ることができる。例えば、図３Ａに示す照明器具３０の模式図に示すように、照明用カバー３２において、下端部３２ｂを開放させて上端部３２ａを封止するような制限部材４１を設けても良い。また、図３Ｂに示すように、照明用カバー３２の上端部３２ａを開放させて下端部３２ｂを封止するような制限部材４２を設けても良い。さらに、図３Ｃに示すように、照明用カバー３２の上端部３２ａを封止する制限部材４１と下端部３２ｂを封止する制限部材４２とを共に設けても良い。
【００４０】
また、このような制限部材は、照明用カバー３２とランプ３１との間において空気の通過を制限する機能が発揮できるような構成を有していれば良く、全体として空気の通過が制限されていれば空気の通過を完全に遮断する構成のみに限られない。例えば、ランプ３１の取り付けや電源供給のために必要な開口が制限部材に設けられるような場合であっても、全体として空気の通過が制限されていれば良い。
【００４１】
また、照明用カバー３２は大略円錐台形筒状の形状を有するものの他に、大略多角推台形筒状の形状や半球形状を有するような場合であっても良い。さらに、制限部材が照明用カバー３２と一体的に形成されているような場合であっても良い。
【００４２】
また、吸気用隙間Ｓは、照明用カバー３２の下端部３２ｂの周囲に形成されていれば良く、照明用カバー３２の下端部３２ｂとフランジ３５との間、下端部３２ｂと第２開口部１２との間、あるいは下端部３２ｂと天井開口部３との間のいずれかに形成されていれば良い。
【００４３】
また、吸気用隙間Ｓの寸法（面積）は、送風機２０の仕様（風量、静圧など）、ランプ３１および照明用カバー３２の大きさ、天井開口部３の大きさなどを考慮して設計的に決定すれば良い。
【００４４】
（実施の形態２）
本発明は上述の実施の形態に限定されるものではなく、その他種々の態様で実施できる。例えば、本発明の実施の形態２にかかる照明付天井埋込換気扇５１の構成を図４に示す。図４に示す実施の形態２の照明付天井埋込換気扇５１では、天井２に天井開口部３とは別に開口部４を追加して設けるとともに本体筐体１０に第３開口部１５を設けて、開口部４および第３開口部１５からも室内空気を導入可能な構成としている。このような構成では、要求されるような吸気用隙間Ｓの寸法（面積）を確保できない場合に、不足分の吸気面積を確保するこができる。
【００４５】
また、図４に示すように、送風機２０の吸込口に対向する本体筐体１０の内壁面に吸音材１６が配置されている。このように吸音材１６を配置することで、送風機２０から発生する音の一部を吸収させて低減することができる。吸音材を本体筐体１０の内壁面全体に配置しても良い。なお、このような吸音材としては、多孔質材料や繊維材料など音吸収効果あるいは音反射抑制を有する材料を用いることができ、例えばフェルト材などが用いられる。
【００４６】
（実施の形態３）
本発明の実施の形態３にかかる照明付天井埋込換気扇６１の構成を図５に示す。図５に示す実施の形態３の照明付天井埋込換気扇６１のように、本体筐体６２の下部全体が開口される構成を採用することもできる。本体筐体６２の側部にはダクト連結部１３に接続される第１開口部６３が形成され、本体筐体６２の下部全体が第２開口部６４として形成されている。このような構成では、天井開口部３に取り付けられたフランジ３５により室内側からの吸込口が画定されているため、図１および図２に示す実施の形態１の照明付天井埋込換気扇１と実質的に同様な効果を得ることができる。
【００４７】
（実施の形態４）
本発明の実施の形態４にかかる照明付天井埋込換気扇７１の構成を図６に示す。図６に示す実施の形態４の照明付天井埋込換気扇７１では、照明用カバー７２の下端部７２ｂが、本体筐体１０の第２開口部１２、天井開口部３、およびフランジ３５を通して室内側に突出するように配置されている点で、上記それぞれの実施の形態とは異なる構成を有している。
【００４８】
このような構成では、室内側に突出して配置された（すなわち天井２よりも下方に配置された）照明用カバー７２の下端部７２ｂと、フランジ３５（あるいは第２開口部１２）の内縁との間に、環状の吸気用隙間Ｓが形成されている。室内空気は、この吸気用隙間Ｓを通して本体筐体１０内に導入され、送風機２０によりダクト１４へ排気される。照明用カバー７２の下端部７２ｂには、周囲に向けて突出する環状の鍔部７３が形成されている。なお、このような鍔部７３は、室内側から、吸気用隙間Ｓを見え難くするような化粧効果も有している。
【００４９】
大略円錐台形筒状の照明用カバー７２は、その上端部７２ａが封止部材７４により封止されるように形成されている。したがって、ランプ３１と照明用カバー７２との間における空気の通過が制限されており、本体筐体１０内にて発生した音がその指向性が増強された状態にて室内側へ伝達することが抑制される。
【００５０】
（実施の形態５）
本発明の実施の形態５にかかる照明付天井埋込換気扇８１の構成を図８に示す。図８に示す実施の形態５の照明付天井埋込換気扇８１は、実施の形態１の照明付天井埋込換気扇１とは照明器具９０の構成が相違しており、その他の構成については実質的に類似している。以下、照明器具９０の構成を中心に説明する。また、照明器具９０の斜視図を図９に示し、分解図を図１０に示す。
【００５１】
図８〜図１０に示すように、照明器具９０は、渦巻き型蛍光灯電球であるランプ９１と、ランプ９１を囲む照明用カバー９２と、ランプ装着具９３と、蓋９４とを備えている。さらにランプ装着具９３は、ランプ９１および照明用カバー９２の高さ位置を変更可能に調整する調整機構８２を備えている。
【００５２】
主に、図９および図１０に示すように、調整機構８２は、照明用カバー９２の上端部９２ａに取り付けられる大略円盤状の係合部材８３と、ランプ装着具９３のケーシング８５内に配置され、係合部材８３を常時下方に向けて付勢するバネ部材８４とを備えている。また、ランプ９１はランプソケット９５に取り外し可能に装着され、係合部材８３は、ランプソケット９５を介して、照明用カバー９２にねじ止めなどにより固定されている。そのため、ランプ９１および照明用カバー９２は係合部材８３とともに一体的に、ランプ装着具９３のケーシング８５に対して中心軸Ｐ周りに回動可能とされている。
【００５３】
ランプ装着具９３のケーシング８５の円筒状の周面には、高さ位置が異なる２種類の係合孔として、第１係合孔８５ａと、第１係合孔８５ａよりも低い高さ位置に位置する第２係合孔８５ｂとが形成されている。一方、大略円盤状の係合部材８３の周縁には、ランプ装着具９３のケーシング８５における第１係合孔８５ａおよび第２係合孔８５ｂのいずれかに選択的に係合される係合爪８３ａが形成されている。ランプ９１および照明用カバー９２とともに係合部材８３を中心軸Ｐ周りに回動させて、第１係合孔８５ａおよび第２係合孔８５ｂのいずれかに係合爪８３ａを選択的に係合させることで、ランプ９１および照明用カバー９２の高さ位置を変更することができる。また、係合部材８３は、バネ部材８４により常時下方に向けて付勢されているため、第１係合孔８５ａまたは第２係合孔８５ｂと係合爪８３ａとの係合状態が維持され、ランプ９１および照明用カバー９２の高さ位置が保持される。
【００５４】
ここで、このような調整機構８２によるランプ９１および照明用カバー９２の高さ位置の調整について、図１１に示す模式図を用いて説明する。
【００５５】
まず、図１１（Ａ）では、照明器具９０において、係合爪８３ａが第２係合孔８５ｂと係合された状態にある。この状態では、バネ部材８４の付勢力により、ランプ９１および照明用カバー９２が下方の高さ位置に位置されて、照明器具９０の長さがＬ１とされている。
【００５６】
一方、図１１（Ｂ）では、照明器具９０において、係合爪８３ａが第１係合孔８５ａと係合された状態にある。この状態では、ランプ９１および照明用カバー９２は上方の高さ位置に位置されて、照明器具９０の長さがＬ２（Ｌ２＜Ｌ１）とされる。
【００５７】
このように照明器具９０に調整機構８２を備えさせることにより、例えば、図１１（Ａ）、（Ｂ）に示すように、天井２の厚さが異なるような場合に、天井開口部３あるいは第２開口部１２に対するランプ９１および照明用カバー９２の高さ位置（すなわち、照明用カバー９２の下端部９２ａの高さ位置）を調整機構８２により調整して、吸気用隙間Ｓを適切な大きさに調整することができる。
【００５８】
また、天井２の厚さが同じであるような場合であっても、ランプ９１および照明用カバー９２の高さ位置を調整機構８２により調整して、吸気用隙間Ｓを通過する空気量を調整することもできる。
【００５９】
本実施の形態５では、照明器具９０がフランジ３５と分離されているため、フランジ３５に対するランプ９１および照明用カバー９２の高さ位置が調整可能となるものである。調整機構８２により、ランプ９１および照明用カバー９２を上方に移動させることで、吸気用隙間Ｓをより大きく設定できる。
【００６０】
また、本実施の形態５では、調整機構８２として、回動する円盤状の係合部材８３を用いた構成について一例として説明したが、鉛直方向に配置された状態にて本体筐体１０に固定されたボルトに照明器具９０を支持させて、ボルトに螺合したナットを回動させることで、照明器具９０の支持高さの調整が行われるような機構など、高さを調整できる様々な機構を採用することができる。
【００６１】
また、本実施の形態５では、調整機構８２により照明用カバー９２および蓋９４を、フランジ３５の上端よりも上方に位置させることが可能な構成について説明したが、上述の実施の形態１から３においても同様な構成を採用することができる。
【実施例１】
【００６２】
実施の形態１の照明付天井埋込換気扇１において、照明用カバー３２とランプ３１との間において空気の通過が制限され、かつ吸気用隙間Ｓを通して室内空気が本体筐体１０内に導入される構成（実施例）と、吸気用隙間Ｓが存在しないように照明用カバーを構成し、照明用カバーとランプとの間を通して室内空気が導入される構成（比較例）とで、運転中の騒音測定を行った。なお、送風機としては、風量８０ＣＦＭのシロッコ型送風機を用いた。
【００６３】
外部からの音が遮断された測定室内にて、照明付天井埋込換気扇から水平横方向に１ｍ離れた左右２箇所、および下方に１ｍ離れた下方１箇所の合計３点にて騒音測定を行った。なお、暗騒音は１５．１ｄＢであった。
【００６４】
比較例の照明付天井埋込換気扇では、左測定点：３６．４ｄＢ、右測定点：３６．８ｄＢ、下測定点：３９．８ｄＢであるのに対して、実施例の照明付天井埋込換気扇では、左測定点：３５．０ｄＢ、右測定点：３５．３ｄＢ、下測定点：３８．６ｄＢであった。
【００６５】
この騒音測定結果から、実施例の照明付天井埋込換気扇では、比較例に比して騒音抑制効果が高いことがわかる。実施例では、吸気用隙間Ｓが設けられているため、比較例に比して圧力損失を低減できること、および、照明用カバーがメガホンとなり音の指向性が増強されることが抑制されることにより、実施例にて騒音低減が可能となったものと考えられる。
【００６６】
なお、上記様々な実施形態のうちの任意の実施形態を適宜組み合わせることにより、それぞれの有する効果を奏するようにすることができる。
【００６７】
本発明は、添付図面を参照しながら好ましい実施形態に関連して充分に記載されているが、この技術の熟練した人々にとっては種々の変形や修正は明白である。そのような変形や修正は、添付した請求の範囲による本発明の範囲から外れない限りにおいて、その中に含まれると理解されるべきである。
【符号の説明】
【００６８】
１  照明付天井埋込換気扇
２  天井
３  天井開口部
１０  本体筐体
１１  第１開口部
１２  第２開口部
１３  ダクト接続部
１４  ダクト
２０  送風機
２１  ファン
２２  モータ
２３  ファンケーシング
３０  照明器具
３１  ランプ
３２  照明用カバー
３２ａ  上端部
３２ｂ  下端部
３２ｃ  反射面
３３  ランプ装着具
３４  蓋
３５  フランジ
３６  付勢部材
Ｓ  吸気用隙間
【図１】
2013508940.tif 000003
【図２】
2013508940.tif 000004
【図３Ａ】
2013508940.tif 000005
【図３Ｂ】
2013508940.tif 000006
【図３Ｃ】
2013508940.tif 000007
【図４】
2013508940.tif 000008
【図５】
2013508940.tif 000009
【図６】
2013508940.tif 000010
【図７】
2013508940.tif 000011
【図８】
2013508940.tif 000012
【図９】
2013508940.tif 000013
【図１０】
2013508940.tif 000014
【図１１】
2013508940.tif 000015
【手続補正書】
【提出日】平成24年3月9日(2012.3.9)
【手続補正１】
【補正対象書類名】明細書
【補正対象項目名】００１０
【補正方法】変更
【補正の内容】
【００１０】
本発明の第１態様によれば、本体筐体と、本体筐体内に配置された送風機および照明器具とを有する照明付天井埋込換気扇であって、
本体筐体は、送風機の吹出口に接続されるとともにダクトに連通する第１開口部と、室内に連通するように本体筐体の下部に形成された第２開口部とを有し、
照明器具は、照明部と、照明部の周囲を囲むように本体筐体内に固定されて、照明部からの光を、第２開口部を通して室内に導くように反射する反射面を有する照明用カバーと、照明部の周囲と照明用カバーとの間における空気の通過を制限する制限部材とを備え、
照明用カバーの下端部と、照明用カバーと分離されかつ照明用カバーの下端部より下方に位置する第２開口部の縁部との間に吸気用隙間が形成され、第２開口部および吸気用隙間を通して本体筐体内に導入された空気が、送風機により第１開口部を通してダクト内へ排気される、照明付天井埋込換気扇を提供する。
【手続補正２】
【補正対象書類名】明細書
【補正対象項目名】００１８
【補正方法】変更
【補正の内容】
【００１８】
本発明の第９態様によれば、本体筐体と、本体筐体内に配置された送風機および照明器具とを有する照明付天井埋込換気扇であって、
本体筐体は、送風機の吹出口に接続されるとともにダクトに連通する第１開口部と、本体筐体の下部に形成された第２開口部とを有し、
天井開口部に設けられた開口部材により構成される室内側吸込口と、本体筐体の第２開口部とが連通されるように、本体筐体が天井内に設置され、
照明器具は、照明部と、照明部の周囲を囲むように本体筐体内に固定されて、照明部からの光を、第２開口部および開口部材を通して室内に導くように反射する反射面を有する照明用カバーと、照明部の周囲と照明用カバーとの間における空気の通過を制限する制限部材とを備え、
照明用カバーの下端部と、照明用カバーと分離されかつ照明用カバーの下端部より下方に位置する開口部材の縁部との間に吸気用隙間が形成され、開口部材および吸気用隙間を通して本体筐体内に導入された空気が、送風機により第１開口部を通してダクト内へ排気される、照明付天井埋込換気扇を提供する。
【手続補正３】
【補正対象書類名】明細書
【補正対象項目名】００２０
【補正方法】削除
【補正の内容】
【手続補正４】
【補正対象書類名】明細書
【補正対象項目名】００２１
【補正方法】削除
【補正の内容】
【手続補正５】
【補正対象書類名】特許請求の範囲
【補正対象項目名】全文
【補正方法】変更
【補正の内容】
【特許請求の範囲】
【請求項１】
本体筐体と、本体筐体内に配置された送風機および照明器具とを有する照明付天井埋込換気扇であって、
本体筐体は、送風機の吹出口に接続されるとともにダクトに連通する第１開口部と、室内に連通するように本体筐体の下部に形成された第２開口部とを有し、
照明器具は、照明部と、照明部の周囲を囲むように本体筐体内に固定されて、照明部からの光を、第２開口部を通して室内に導くように反射する反射面を有する照明用カバーと、照明部の周囲と照明用カバーとの間における空気の通過を制限する制限部材とを備え、
照明用カバーの下端部と、照明用カバーと分離されかつ照明用カバーの下端部より下方に位置する第２開口部の縁部との間に吸気用隙間が形成され、第２開口部および吸気用隙間を通して本体筐体内に導入された空気が、送風機により第１開口部を通してダクト内へ排気される、照明付天井埋込換気扇。
【請求項２】
照明器具は、本体筐体の第２開口部に対する照明用カバーの高さ位置を調整する調整機構を有し、調整機構により照明用カバーの高さ位置を調整することで、吸気用隙間の大きさを調整する、請求項１に記載の照明付天井埋込換気扇。
【請求項３】
照明用カバーは照明部の側部周囲全体を覆うように筒状に形成されるとともに照明用カバーの下端部は上端部よりも大きく形成され、照明用カバーの上端部および下端部の少なくともいずれか一方が実質的に封止されるように制限部材が配置されている、請求項１に記載の照明付天井埋込換気扇。
【請求項４】
照明用カバーは上端部の開口よりも下端部の開口が大きくなるような大略円錐台形状もしくは多角錐台形状の筒状に形成され、下端部の開口を実質的に封止する蓋部材が制限部材として配置されている、請求項３に記載の照明付天井埋込換気扇。
【請求項５】
照明用カバーの下端部に対して、蓋部材が着脱自在に設けられている、請求項４に記載の照明付天井埋込換気扇。
【請求項６】
照明用カバーの下端部の周囲に突出する鍔部が形成されている、請求項１から５のいずれか１つに記載の照明付天井埋込換気扇。
【請求項７】
本体筐体内面において、少なくとも送風機の吸込口と対向する位置に吸音材が配置されている、請求項１から５のいずれか１つに記載の照明付天井埋込換気扇。
【請求項８】
本体筐体は、第２開口部から離間された位置に形成されて、室内と連通する第３開口部をさらに有し、第２開口部および吸気用隙間を通して本体筐体内に導入された空気とともに、第３開口部を通して本体筐体内に導入された空気が、送風機により第１開口部を通してダクト内へ排気される、請求項１から５のいずれか１つに記載の照明付天井埋込換気扇。
【請求項９】
本体筐体と、本体筐体内に配置された送風機および照明器具とを有する照明付天井埋込換気扇であって、
本体筐体は、送風機の吹出口に接続されるとともにダクトに連通する第１開口部と、本体筐体の下部に形成された第２開口部とを有し、
天井開口部に設けられた開口部材により構成される室内側吸込口と、本体筐体の第２開口部とが連通されるように、本体筐体が天井内に設置され、
照明器具は、照明部と、照明部の周囲を囲むように本体筐体内に固定されて、照明部からの光を、第２開口部および開口部材を通して室内に導くように反射する反射面を有する照明用カバーと、照明部の周囲と照明用カバーとの間における空気の通過を制限する制限部材とを備え、
照明用カバーの下端部と、照明用カバーと分離されかつ照明用カバーの下端部より下方に位置する開口部材の縁部との間に吸気用隙間が形成され、開口部材および吸気用隙間を通して本体筐体内に導入された空気が、送風機により第１開口部を通してダクト内へ排気される、照明付天井埋込換気扇。
【請求項１０】
照明器具は、天井開口部に対する照明用カバーの高さ位置を調整する調整機構を有し、調整機構により照明用カバーの高さ位置を調整することで、吸気用隙間の大きさを調整する、請求項９に記載の照明付天井埋込換気扇。
【国際調査報告】
2013508940.tif 000016
2013508940.tif 000017
2013508940.tif 000018
2013508940.tif 000019
2013508940.tif 000020
2013508940.tif 000021